(57)【特許請求の範囲】
【請求項１】
ＤＳＣ個別呼出機能を有する無線機であって、音声による通話ができない旨の応答メッセージを記録する応答メッセージ記録部と、相手方からの音声によるメッセージを記録する相手方メッセージ記録部と、ＤＳＣ個別呼出を受けた場合の対処について予め選択しておく通話選択部とを具備しており、ＤＳＣ個別呼出を受けた場合、前記通話選択部で通話不可でかつ記録可能なモードが予め選択されていれば、相手方に通話不可ではあるが記録可能な旨を知らせる受信証を送信するとともに、相手方が指定してきたチャンネルに自動的に移行し、そのチャンネルで前記応答メッセージ記録部に記録された応答メッセージを送信し、前記相手方メッセージ記録部で音声による相手方メッセージの記録を開始することを特徴とする無線機。
【請求項２】
前記相手方メッセージ記録部は、前記応答メッセージの送信と同時に、相手方メッセージの記録を開始することを特徴とする請求項１記載の無線機。
【請求項３】
ＤＳＣ個別呼出機能を有する無線機の制御方法であって、ＤＳＣ個別呼出を受けた場合、通話不可でかつ記録可能なモードが予め選択されていれば、相手方に通話不可ではあるが記録可能な旨を知らせる受信証を送信するとともに、相手方が指定してきたチャンネルに自動的に移行し、そのチャンネルで応答メッセージ記録部に記録された応答メッセージを送信し、相手方メッセージ記録部で音声による相手方メッセージの記録を開始することを特徴とする無線機の制御方法。
【発明の詳細な説明】
【技術分野】
【０００１】
本発明は、ＤＳＣ個別呼出機能を有する無線機とその制御方法とに関する。
【背景技術】
【０００２】
船舶が使用する無線機のひとつに国際ＶＨＦがある。この国際ＶＨＦは、沿岸海域では入出港の連絡、船位通報、航行の安全、遭難通信に使用され、外洋では船舶間の相互通信に使用される。
ＳＯＬＡＳ条約により国際航海に従事する旅客船、及び総トン数３００トン以上の貨物船には、ＧＭＤＳＳ認証を得た国際ＶＨＦ無線機を搭載する義務がある。
ＧＭＤＳＳ認証を得た国際ＶＨＦ無線機にはＤＳＣ機能の搭載も義務化されている。
また、ＧＭＤＳＳ認証を得た国際ＶＨＦ無線機においても国際規格ＩＴＵ−ＲＭ４９３に準拠したＤＳＣ機能の搭載が要求されている。
【０００３】
このＤＳＣには大別して（１）ＤＳＣ緊急呼出、（２）ＤＳＣ全船舶呼出、（３）ＤＳＣ個別呼出、（４）ＤＳＣグループ呼出の４つのモードがある。この４つの呼出モードは、ＤＳＣの呼出専用として指定された第７０チャンネルで送信される。
（１）ＤＳＣ緊急呼出
例えば、遭難等の緊急事態が発生した場合に使用されるモードである。特別に割り当てられた緊急ボタンを作動させることにより、緊急である旨、自船のＭＭＳＩ、自船の位置、緊急事態の内容等の必要情報を自動的に発信する。
なお、ＭＭＳＩとは、Maritime Mobile Service Identityの略称で、通信装置を搭載した船舶・地上局に固有の認識番号として９桁の数字が割り当てられる。
（２）ＤＳＣ全船舶呼出
自船の周辺に位置する他船に対して知らせたい事項、例えば流木等の障害物の存在等を他船に知らせる場合に使用されるモードである。このＤＳＣ全船舶呼出では、自船のＭＭＳＩ等の必要事項を発信する。
（３）ＤＳＣ個別呼出
自船から特定の他船又は特定の地上局を個別的に呼び出す際に使用されるモードである。このＤＳＣ個別呼出では、自船の名称、自船のＭＭＳＩ、通話すべきチャンネル等の必要情報を発信する。
このＤＳＣ個別呼出に対しては、受信側には呼出を受けた際に通話可能である旨を知らせる「Able to comply」と、通話不可である旨を知らせる「Unable to comply」との２つの返信モードがある。この返信モードは、予め設定されている。
「Able to comply」の返信モードが選択されている場合には、ＤＳＣ個別呼出を受けた側は、個別呼出をした側に対して自動的に「Able to comply」の受信証を返信するとともに、指定された通話チャンネルへと自動的に移行し、通話が開始される。
一方、例えば、他の作業を行うために乗組員が無線機の側から離れる場合等で、「Unable to comply」の返信モードが選択されていた場合には、ＤＳＣ個別呼出を受けた側は、ＤＳＣ個別呼出をした側に対して自動的に「Unable to comply」の受信証を返信する。
（４）ＤＳＣグループ呼出
自船から特定の他船の集団（グループ）を個別的に呼び出す際に使用されるモードである。このＤＳＣグループ呼出では、自船のＭＭＳＩ、通話すべきチャンネル等の必要情報を発信する。
このＤＳＣグループ呼出を受けたものは、オペレータの操作により指定された通話チャンネルへと移行する。その後、通話が開始される。
【０００４】
【特許文献１】特開平６−１２５２９２号公報
【発明の開示】
【発明が解決しようとする課題】
【０００５】
しかしながら、従来のＤＳＣ機能を有する無線機では、ＤＳＣ個別呼出が行われた場合、ＤＳＣ個別呼出を行った側に通話不可である旨を知らせる「Unable to comply」の返信モードが設定されていた場合、ＤＳＣ個別呼出を行った側には単に「Unable to comply」の受信証が返信されるだけなので以下のような問題点があった。
最初にＤＳＣ個別呼出を行った側からすると、ある程度の時間が経過してから再度のＤＳＣ個別呼出を行わなければならないという問題点である。
また、ＤＳＣ個別呼出を受けた側からすると、自己の都合がよくなった時点で先程のＤＳＣ個別呼出を行った相手方にＤＳＣ個別呼出を行わなければならないという問題点である。
いずれにしても、ＤＳＣ個別呼出で伝えたいメッセージは短いものであることが多いこともあり、どちらかが再度のＤＳＣ個別呼出を行わなければならないのは非常に煩わしいと感じられがちである。
また、いずれの側からＤＳＣ個別呼出を行うとしても、ＤＳＣ個別呼出を行った側と受けた側との距離が電波の到達範囲外になっていた場合には、通話ができないという事態が生じる。
【０００６】
本発明は、上記事情に鑑みて創案されたもので、例えば、他の作業を行うために乗組員が無線機の側から離れていたり、すぐには通話できない場合であっても、ＤＳＣ個別呼出を行った側のメッセージを記録して、ＤＳＣ個別呼出を行った側が伝達したかったメッセージを確実に伝えることで、再度のＤＳＣ個別呼出の煩わしさを低減するとともに利便性を向上させた無線機及びその制御方法を提供することを目的としている。
【課題を解決するための手段】
【０００７】
本発明に係る無線機は、ＤＳＣ個別呼出機能を有する無線機であって、音声による通話ができない旨の応答メッセージを記録する応答メッセージ記録部と、相手方からの音声によるメッセージを記録する相手方メッセージ記録部と、ＤＳＣ個別呼出を受けた場合の対処について予め選択しておく通話選択部とを備えており、ＤＳＣ個別呼出を受けた場合、前記通話選択部で通話不可でかつ記録可能なモードが予め選択されていれば、相手方に通話不可ではあるが記録可能である旨を知らせる受信証を送信するとともに、相手方が指定してきたチャンネルに自動的に移行し、そのチャンネルで前記応答メッセージ記録部に記録された応答メッセージを送信し、前記相手方メッセージ記録部で音声による相手方メッセージの記録を開始するようになっている。
【０００８】
また、本発明に係る無線機の制御方法は、ＤＳＣ個別呼出機能を有する無線機の制御方法であって、ＤＳＣ個別呼出を受けた場合、通話不可でかつ記録可能なモードが予め選択されていれば、相手方に通話不可ではあるが記録可能な旨を知らせる受信証を送信するとともに、相手方が指定してきたチャンネルに自動的に移行し、そのチャンネルで応答メッセージ記録部に記録された応答メッセージを送信し、相手方メッセージ記録部で音声による相手方メッセージの記録を開始するようになっている。
【発明の効果】
【０００９】
本発明に係る無線機や無線機の制御方法によれば、ＤＳＣ個別呼出が行われた場合、通話不可であっても記録可能なモードが選択されていれば、通話不可である旨だけでなく、相手方メッセージを記録可能な旨を伝えるとともに、相手方メッセージを記録することができるので、伝達したかったメッセージを確実に伝えることができ、再度のＤＳＣ個別呼出を行うといった煩わしさを低減することができるものとなっている。
【図面の簡単な説明】
【００１０】
【図１】本発明の実施の形態に係る無線機の概略的ブロック図である。
【図２】本発明の実施の形態に係る無線機の表示ディスプレイ等を示す概略的正面図である。
【図３】本発明の実施の形態に係る無線機の表示ディスプレイに表示される各種アイコンを示す説明図である。
【発明を実施するための形態】
【００１１】
まず、本発明の実施の形態に係る無線機１００の詳細を説明する前に、この無線機１００の表示ディスプレイ２００やその周囲に配置されるスイッチ類やその機能について図２、図３を参照しつつ説明する。
この無線機１００の正面の中央には液晶パネルからなる表示ディスプレイ２００が、その向かって左側にはスピーカー３００が、その向かって右側には、左右キー３１０、上下／チャンネル選択キー３２０、エンターキー３３０、クリアキー３４０、メニューキー３５０及びダイヤル／電源キー３５５が配置されている。
また、表示ディスプレイ２００の下側には４つのソフトキー３６０、スケルチツマミ３７０、ボリュームツマミ３８０及びチャンネル１６／コールチャンネルキー３９０が配置されている。
さらに、スピーカー３００の下側には、マイク用コネクタ４００と、ディストレスキー４１０が設けられている。このディストレスキー４１０は、遭難信号を送出するキーなので、誤動作防止のため、透明な保護カバー４１１で覆われている。
【００１２】
前記左右キー３１０は、表示ディスプレイ２００に表示されたソフトキー３６０の機能を切り替えるときに操作する。また、チャンネル名やＭＭＳＩコードの設定時、表示された一覧から文字を選択する際にも使用する。
前記上下／チャンネル選択キー３２０は、運用チャンネルやメニュー項目を選択するとき、又は設定を変更する際に使用する。スキャン中にスキャン対象チャンネルを確認するときやスキャンの方向を変更するとき、またスキャンを手動で再スタートする際にも使用する。
これらの左右キー３１０と上下／チャンネル選択キー３２０とはいわゆる十字キーのように配置されている。
十字キーのように配置された左右キー３１０と上下／チャンネル選択キー３２０との中心位置には、入力内容や選択項目を設定する際に操作するエンターキー３３０が配されている。
これらの左右キー３１０、上下／チャンネル選択キー３２０及びエンターキー３３０は、メニュー画面に応じて後述する通話選択部５１０として機能する。
【００１３】
前記クリアキー３４０は、直前の操作を取り消したり、操作中のモードを終了したりする際に操作する。
また、前記メニューキー３５０は、メニュー画面を選択する際に操作する。
さらに、前記ダイヤル／電源キー３５５は、回転及びプッシュ操作が可能な複合スイッチであって、長押しすると電源がオンになり、再度長押しすると電源がオフになるようになっている。また、運用チャンネルやメニュー項目を選択する際、又は設定を変更する際に回転させる。回転させることで選択した入力内容やメニュー項目を確定する際には短押しする。
【００１４】
前記スケルチツマミ３７０は、スケルチを調整する。ボリュームツマミ３８０は、受信音量を調整する。また、チャンネル１６／コールチャンネルキー３９０は、短押しするとチャネル１６が選択され、長押しするとコールチャンネルが選択される。なお、コールチャンネルが選択されると、後述するコールチャンネル表示アイコン２０５である『ＣＡＬＬ』表示が点灯する。
【００１５】
４つのソフトキー３６０には、各種機能から使用者が自分の必要に応じて選択した機能を割り当てることができる。
各種機能には以下のようなものがある。
（１）スキャン機能
スキャン機能が割り当てられたソフトキー３６０を押すごとに、ノーマルスキャン又はプライオリティスキャンが開始／解除される。
（２）２波同時受信／３波同時受信機能
２波同時受信チ／３波同時受信機能が割り当てられたソフトキー３６０を押すごとに、２波同時受信チ又は３波同時受信が開始／解除される。
（３）チャンネル／ウェザーチャンネル機能
チャンネル／ウェザーチャンネル機能が割り当てられたソフトキー３６０を押すごとに、通常チャンネルとウェザーチャンネルとを切り換える。
（４）送信出力機能
送信出力機能が割り当てられたソフトキー３６０を押すごとに、送信出力をハイパワーとローパワーに切り換える。
（５）ボイスレコーダー機能
ボイスレコーダー機能が割り当てられたソフトキー３６０を押すと、録音した内容が再生される。
（６）ＲＸヘイラー機能
ＲＸヘイラー機能が割り当てられたソフトキー３６０を押すごとに、ＲＸヘイラー機能がオン／オフされる。
（７）アッテネーター機能
アッテネーター機能が割り当てられたソフトキー３６０を押すごとに、アッテネーター機能がオン／オフされる。
（８）スキャン対象チャンネル機能
スキャン対象チャンネル機能が割り当てられたソフトキー３６０を長押しすることで、表示されているチャンネルをスキャン対象にしたり、解除したりする。また、ソフトキー３６０を短押しすることで、すべてのチャンネルをスキャン対象にしたり、解除したりする。
（９）チャネル名称編集機能
チャネル名称編集機能が割り当てられたソフトキー３６０を押すと、チャンネルの名称を編集できるモードとする。
（１０）バックライト機能
バックライト機能が割り当てられた表示ディスプレイ２００やバックライトの輝度等を調整する。
（１１）ログ機能
ログ機能が割り当てられたソフトキー３６０を押すと、ＤＳＣ呼出機能で受信した履歴を表示するモードとなる。
（１２）メッセージ機能
メッセージ機能が割り当てられたソフトキー３６０を押すと、相手方メッセージ記録部５０１に記録された相手方メッセージが再生される。
【００１６】
また、表示ディスプレイ２００には、図３に示すように、各種の機能アイコンが表示される。
（１）送受信表示アイコン２０１
信号受信中やスケルチが開いているときは『ＢＵＳＹ』表示が点灯し、送信中は『ＴＸ』表示が点灯する。
（２）送信出力表示アイコン２０２
送信出力がハイパワーが選択されているときは『２５Ｗ』表示が点灯し、ローパワーが選択されているときは『１Ｗ』表示が点灯する。
（３）ＲＸヘイラーアイコン２０３
ＲＸヘイラー機能が作動しているときには『ＲＸ』表示が点灯する。
（４）チャンネルグループ表示アイコン２０４
国際チャンネルが選択されているときは『ＩＮＴ』表示が点灯し、ウェザーチャンネル選択時は『ＷＸ』表示が点灯する。
（５）コールチャンネル表示アイコン２０５
コールチャンネルが選択されているときは『ＣＡＬＬ』表示が点灯する。
（６）デュプレックス表示アイコン２０６
デュプレックスチャンネルが選択されているときは『ＤＵＰ』表示が点灯する。
（７）スキャン対象チャンネル表示アイコン２０７
スキャン対象チャンネルが選択されているときは『★』表示が点灯する。
（８）呼出表示アイコン２０８
未読のＣＤＳ呼出があるときには手紙をアイコン化した『メール』表示が点減する。
また、相手方メッセージが記録されているときにも『メール』表示が点灯する。
（９）ＧＰＳ情報表示アイコン２０９
ＧＰＳ受信機が接続されている状態で位置情報を取得すると、この『ＧＰＳ情報表示アイコン』が点灯する。
位置情報が取得できないときには、『ＧＰＳ情報表示アイコン』が点減する。
なお、この『ＧＰＳ情報表示アイコン』は、人工衛星を模したシンボルで表される。
（１０）チャンネル１６スイッチ表示アイコン２１０
ＤＳＣ機能の１６チャンネル（遭難通信・安全通信及び呼出に割り当てられている）をオフにしていると、『チャンネル１６スイッチ表示アイコン』が点灯する。
（１１）バッテリー電圧低下表示アイコン２１１
バッテリーが予め定められた電圧以下（例えば、１０Ｖ以下）になると、『バッテリー電圧低下表示アイコン』が点減する。なお、この『バッテリー電圧低下表示アイコン』は、バッテリーを模したシンボルで表される。
（１２）チャンネル番号表示アイコン２１２
選択された運用中のチャンネル番号を表示する。なお、各種アイコンのうち、このチャネル番号表示アイコン２１２が最も大きく表されている。
（１３）チャンネル名称表示アイコン２１３
設定されたチャンネル名称が表示される。
（１４）ソフトキー機能表示アイコン２１４
上述した４つのソフトキー３６０に割り当てられた機能が表示される。このソフトキー機能表示アイコン２１４は、対応したソフトキー３６０のすぐ上側に表示されるようになっている。
（１５）タイムゾーン表示アイコン２１５
ＧＰＳ受信機が接続されている場合には現在時刻を表示し、協定世界時との時差を設定すると『ＬＯＣＡＬ』表示が点灯し、手動で時刻情報を入力すると『ＭＮＬ』表示が点灯する、など時刻情報が表示される。
（１６）位置情報表示アイコン２１６
位置情報、すなわち経度及び緯度が表示される。
（１７）進行方向／速度表示アイコン２１７
ＧＰＳ受信機が接続されている場合には、自船の進行方向及び速度が表示される。
（１８）スキャン表示アイコン２１８
チャンネルのモニターモードを表示する。
特定のチャンネルを受信しつつ定期的にチャンネル１６をモニターする２波同時受信チ作動時には『ＤＵＡＬ１６』と表示され、特定のチャンネルを受信しつつ定期的にチャンネル１６及びコールチャンネルをモニターする３波同時受信作動時には『ＴＲＩ１６』と表示される。また、チャンネル１６をモニターしながら、すべてのタグチャンネルを順次モニターするプライオリティースキャン作動時には『ＳＣＡＮ１６』と表示される。
（１９）ＬＯＣＡＬ表示アイコン２１９
アッテネーター機能が動作している場合、『ＬＯＣ』表示が点灯する。
【００１７】
なお、上述した表示ディスプレイ２００やその周囲に配置されるスイッチ類やその機能、各種アイコンは一例であって、本件発明がこれに限定されるものでないことはいうまでもない。
【００１８】
本発明の実施の形態に係る無線機１００は、ＤＳＣ個別呼出機能を有する無線機であって、音声による通話ができない旨の応答メッセージを記録する応答メッセージ記録部５０２と、相手方からの音声によるメッセージを記録する相手方メッセージ記録部５０１と、ＤＳＣ個別呼出を受けた場合の対処について予め選択しておく通話選択部５１０とを備えており、ＤＳＣ個別呼出を受けた場合、前記通話選択部５１０で通話不可でかつ記録可能なモードが予め選択されていれば、相手方に通話不可ではあるが記録可能である旨を知らせる受信証を送信するとともに、相手方が指定してきたチャンネルに自動的に移行し、そのチャンネルで前記応答メッセージ記録部５０２に記録された応答メッセージを送信し、前記相手方メッセージ記録部５０１で音声による相手方メッセージの記録を開始するようになっている。
【００１９】
この無線機１００の構成及び動作を図１等を参照しつつ説明する。
前記応答メッセージ記録部５０２と相手方メッセージ記録部５０１とは、記録すべき内容が送信するものか受信したものかの違いはあるが、音声によるメッセージを記録する点では共通しているので、録音再生部５００のメモリーとして存在している。
この録音再生部５００は、受信部５２０で受信した音声による相手方メッセージの信号が入力されるとともに、応答メッセージを変調部５３０を介して送信部５４０に出力するようになっている。
また、前記受信部５２０と送信部５４０とは、送受信切替部５５０を介してアンテナＡＮＴに接続されている。
【００２０】
前記応答メッセージ記録部５０２に記録された応答メッセージとは、例えば「ただいま留守にしております。用件を３０秒間録音できます」のように、直ちに応答できない旨と、録音可能である旨を相手方に伝えるものである。
この応答メッセージは、応答メッセージ記録部５０２に使用者が記録したものであってもよいし、応答メッセージ記録部５０２に出荷当初から記録されたものであってもよい。例えば、使用者が記録する場合には、無線機１００のメニュー画面から録音再生機能を選択し、さらにメッセージ録音を選択する。その状態で録音開始スイッチを入れると録音（記録）が開始される。無線機１００のマイクＭＩＣを用いて応答メッセージを入力することで、低周波増幅器５６０を介して応答メッセージ記録部５０２に記録される。
【００２１】
また、船舶間での通話は英語で行われることもに多いので、出荷当初から記録された応答メッセージには日本語バージョン以外に英語バージョンやその他の外国語バージョンもあることが望ましい。どの言語を選択するかは、メニュー画面から選択することができるようになっている。なお、この出荷当初からの対応メッセージは対応メッセージ記録部５０２に記録されている。
【００２２】
前記相手方メッセージ記録部５０１は、相手方からの相手方メッセージを録音（記録）するものであって、後述する通話選択部５１０において、通話不可ではあるが記録可能であるモードが選択されている場合にのみ作動する。
【００２３】
前記通話選択部５１０は、通話可能であるか通話不可であるかのモードを含む下記の４種のモードを選択するものである。
すなわち、この通話選択部５１０では、通話可能な「Able to comply」モード、通話不可ではあるが記録可能である旨を示す「Able to comply(Auto record) 」モード、通話不可である旨を示す「Unable to comply」モード、新たなチャンネルへの移行を促す「Propose New Channel 」モードを選択することができる。
【００２４】
この通話選択部５１０でのモードの選択は、メニュー画面から左右キー３１０、上下／チャンネル選択キー３２０及びエンターキー３３０で選択するようになっていてもよいし、ダイヤル／電源キー３５５で選択するようになっていてもよいし、メニュー画面からは独立したスイッチで行うようになっていてもよい。
なお、この通話選択部５１０によって選択されたモードは、ＣＰＵ５７０に入力されている。
【００２５】
ここで、通話選択部５１０において通話不可ではあるが記録可能であるモードが選択されている場合に、ＤＳＣ個別呼出を受けると、相手方に通話不可ではあるが記録可能である旨を知らせる「Able to comply(Auto record) 」の受信証を送信するとともに、相手方が指定してきたチャンネルに自動的に移行する。そして、前記応答メッセージ記録部５０２に記録されている応答メッセージを移行したチャンネルで相手方に送信する。
【００２６】
相手方に通話不可ではあるが記録可能である旨を知らせる「Able to comply(Auto record) 」の受信証の送信と、相手方が指定してきたチャンネルへの自動的な移行と、前記応答メッセージの送信とを行うと同時に、相手方メッセージ記録部５０１は、相手方メッセージの記録を開始する。
【００２７】
ここで、通話不可ではあるが記録可能である対処が選択されている場合、応答メッセージの送信等と同時に、相手方メッセージの記録を開始するのは、いわゆる頭切れを防止するためである。すなわち、ＤＳＣ個別呼出を行った相手方は、受信証を受信すると同時、すなわち受信した受信証が、単なる「Able to comply」であるか、記録可能である旨を示す「Able to comply(Auto record) 」であるか単なる通話不可である旨を示す「Unable to comply」であるかを確認する前に、音声による相手方メッセージを話し始めることがあるため、応答メッセージの送信が完了した時点から相手方メッセージの記録を開始すると、相手方メッセージの最初の部分の記録が行われない、いわゆる頭切れが発生するおそれがあるからである。
従って、相手方メッセージ記録部５０１が、応答メッセージの送信等と同時に相手方メッセージの記録を開始すると、相手方メッセージが応答メッセージと被さっても、相手方メッセージを確実に記録することができ、いわゆる頭切れの発生を防止することができるのである。
【００２８】
通話選択部５１０で、通話可能であるモードが選択されている場合に、ＤＳＣ個別呼出を受けると、相手方に通話可能である旨を知らせる「Able to comply」の受信証を送信するとともに、相手方が指定してきたチャンネルに自動的に移行する。そして、移行したチャンネルで相手方との音声によるメッセージの遣り取りが行われる。
【００２９】
なお、通話選択部５１０において、通話不可であるモードが選択されている場合には、ＤＳＣ個別呼出を受信すると、「Unable to comply」の受信証を発信する。さらに、通話選択部５１０において、新たなチャンネルへの移行を促す「Propose New Channel 」が選択されていると、相手方にチャンネルの移行を促す。
【００３０】
なお、この通信機１００では、通話選択部５１０でいずれのモードが選択されていたとしても、ＤＳＣ個別呼出を受けると、ＤＳＣ個別呼出はＤＳＣ受信部５８０で符号化され、ＣＰＵ５７０に送出される。ＣＰＵ５７０では、その符号をデコードし、ＤＳＣ個別呼出を受けた旨、ＤＳＣ個別呼出を行った相手方の船舶情報を表示ディスプレイ２００に表示する。
【００３１】
通話選択部５１０において通話不可ではあるが記録可能なモードが選択されており、かつ相手方メッセージ記録部５０１が相手方メッセージの記録を行った場合には、相手方メッセージが相手方メッセージ記録部５０１に記録されている旨を、表示ディスプレイ２００の呼出表示アイコン２０８の『メール』表示を点灯させて知らせる。表示ディスプレイ２００の呼出表示アイコン２０８を確認した者は、メッセージ機能が割り当てられたソフトキー３６０を押すことで、相手方メッセージ記録部５０１に記録された相手方メッセージを低周波増幅器５６１を介してスピーカーＳＰで再生して確認することができる。
なお、この表示呼出アイコン２０８は、表示ディスプレイ２００に表示するとしたが、表示ディスプレイ２００とは別個のパイロットランプを点灯させるようにしたものであってもよい。
【００３２】
相手方メッセージ記録部５０１に記録された相手方メッセージは、メニュー画面から指示することで消去することができるようにするとよい。また、相手方メッセージ記録部５０１の記録容量の残量が予め設定された値以下になった場合には、記録容量の残量が予め設定された値以上になるように相手方メッセージを古い順に自動的に消去するようにしてもよい。
【００３３】
なお、上述した説明では、応答メッセージの送信と同時に相手方メッセージの記録を開始するとしたが、応答メッセージの送信が完了してから相手方メッセージの記録を開始するようにしてもよいことはいうまでもない。
【符号の説明】
【００３４】
１００    無線機
５０１    相手方メッセージ記録部
５０２    応答メッセージ記録部
５１０    通話選択部
【図１】
0006406057.tif 000002
【図２】
0006406057.tif 000003
【図３】
0006406057.tif 000004